(57)【要約】【課題】軟弱地盤、不整地、植生地等に、測定機器や測量機器を載置する台を安定して設置し、測定や測量をしやすくして安定した重力測定や水準測量等の実施を可能とするとともに持ち運びし易くする。【解決手段】台２の周縁における複数本の杭３を取り付ける箇所に、径方向に突出する耳部６が形成されており、耳部６は、杭挿通孔７が上下方向に貫通して形成されており、耳部６の下面にねじ留めされる添え筒５が設けられており、添え筒５は、耳部６に形成された杭挿通孔７と一致する杭挿通孔１０が形成されているとともに、側面から杭挿通孔１０に向けて貫通する杭留め用ネジ孔８が形成され、杭留め用ネジ孔８には杭留めネジ１３が螺着されており、杭３は、挿通孔７、１０に挿通され、杭留めネジ１３でねじ留めすることで、台２に杭３が装着され補強、支持される。【選択図】図２
2006170820.tif 000002
【特許請求の範囲】
【請求項１】
台と、該台に着脱可能に装着される複数本の杭から成る軟弱地盤及び不整地用簡易安定台であって、
前記台は、その周縁における前記複数本の杭を取り付ける箇所に、径方向に突出する耳部が形成されており、
前記耳部は、杭挿通孔が上下方向に貫通して形成されており、
前記耳部の下面にねじ留めされる添え筒が設けられており、該添え筒は、前記耳部に形成された杭挿通孔と一致する杭挿通孔が形成されているとともに、側面から前記挿通孔に貫通する杭留め用ネジ孔が形成され、該杭留め用ネジ孔には杭留めネジが螺着されており、
前記杭は、前記耳部の杭挿通孔及び添え筒の杭挿通孔を通して挿通され、前記杭留めネジでねじ留めすることで、前記台に、前記複数本の杭が装着される構成であることを特徴とする軟弱地盤及び不整地用簡易安定台。
【請求項２】
台と、該台に着脱可能に装着される複数本の杭から成る軟弱地盤及び不整地用簡易安定台であって、
前記台は、その周縁における前記複数本の杭を取り付ける箇所に、径方向に突出する耳部が形成されており、
前記耳部は、杭挿通孔が上下方向に貫通して形成されているとともに、側面から前記挿通孔に貫通する杭留め用ネジ孔が形成され、該杭留め用ネジ孔には杭留めネジが螺着されており、
前記杭は、前記耳部の杭挿通孔に挿通され、前記杭留めネジでねじ留めすることで、前記台に、前記複数本の杭が装着される構成であることを特徴とする軟弱地盤及び不整地用簡易安定台。
【請求項３】
前記台の上面には、簡易水準計が付設されていることを特徴とする請求項１又は２記載の軟弱地盤及び不整地用簡易安定台。
【請求項４】
前記複数本の杭は、１本の主杭と、該主杭より短い複数本の副杭との組み合わせから成り、それぞれ４０ｃｍ以上の長さを有することを特徴とする請求項１、２又は３記載の軟弱地盤及び不整地用簡易安定台。
【請求項５】
前記副杭は、２本であることを特徴とする請求項４記載の軟弱地盤及び不整地用簡易安定台。
【発明の詳細な説明】
【技術分野】
【０００１】
本発明は、軟弱地盤及び不整地において、重力測定、水準測量等の際に測定の安定性を確保するために使用する簡易安定台に関する。
【背景技術】
【０００２】
従来、屋外の環境下において重力測定や水準測量等を行う場合に、測定器や測量器等の機材の安定下を図るために、三脚台又は三脚皿と呼ばれているものが使用されている。三脚台１４（又は三脚皿）は、図５に示すように、台１５（又は皿）の下面に３本の数ｃｍ程度の短い脚１６が一体的に固定されて成るものである。又、従来、水平度の調整できる測量用三脚が知られている（特許文献１参照）。
【特許文献１】特開平８−１４９０２号公報
【発明の開示】
【発明が解決しようとする課題】
【０００３】
従来の三脚台又は三脚皿は、使用場所が軟弱地盤、不整地、植生地等の場合は、その設置が不安定となり、重力測定や水準測量等が不安定となり、作業が困難で測定、測量時間がかかるだけではなく、測定結果も安定したものが得られないという問題があった。
【０００４】
さらに、短いとは言え、３本の短い脚が一体的に固定されているから、搬送する場合、特に、山間僻地において測定や測量を実施する場合に、搬送しにくいという問題があった。
【０００５】
本発明は、上記従来の問題点を解決することを目的とするものであり、具体的には、次のような機能を有する簡易安定台を実現することを課題とする。
（１）軟弱地盤、不整地、植生地等であっても、測定機器や測量機器を載置する台を安定に設置でき、測定や測量がしやすくなり、安定した重力測定や水準測量等の実施を可能とする。
（２）台と脚を着脱自在として持ち運びしやすい構造とし、さらに脚の取付長さを使用環境に適した状態に調整可能とする。
【課題を解決するための手段】
【０００６】
本発明は上記課題を解決するために、台と、該台に着脱可能に装着される複数本の杭から成る軟弱地盤及び不整地用簡易安定台であって、前記台は、その周縁における前記複数本の杭を取り付ける箇所に、径方向に突出する耳部が形成されており、前記耳部は、杭挿通孔が上下方向に貫通して形成されており、前記耳部の下面にねじ留めされる添え筒が設けられており、該添え筒は、前記耳部に形成された杭挿通孔と一致する杭挿通孔が形成されているとともに、側面から前記挿通孔に貫通する杭留め用ネジ孔が形成され、該杭留め用ネジ孔には杭留めネジが螺着されており、前記杭は、前記耳部の杭挿通孔及び添え筒の杭挿通孔を通して挿通され、前記杭留めネジでねじ留めすることで、前記台に、前記複数本の杭が装着される構成であることを特徴とする軟弱地盤及び不整地用簡易安定台を提供する。
【０００７】
本発明は上記課題を解決するために、台と、該台に着脱可能に装着される複数本の杭から成る軟弱地盤及び不整地用簡易安定台であって、前記台は、その周縁における前記複数本の杭を取り付ける箇所に、径方向に突出する耳部が形成されており、前記耳部は、杭挿通孔が上下方向に貫通して形成されているとともに、側面から前記挿通孔に貫通する杭留め用ネジ孔が形成され、該杭留め用ネジ孔には杭留めネジが螺着されており、前記杭は、前記耳部の杭挿通孔に挿通され、前記杭留めネジでねじ留めすることで、前記台に、前記複数本の杭が装着される構成であることを特徴とする軟弱地盤及び不整地用簡易安定台を提供する。
【０００８】
前記台の上面には、簡易水準計が付設されていることが好ましい。
【０００９】
前記複数本の杭は、１本の主杭と、該主杭より短い複数本の副杭との組み合わせから成り、それぞれ４０ｃｍ以上の長さを有する構成とすることが好ましい。
【００１０】
前記副杭は、２本である構成とすることが好ましい。
【発明の効果】
【００１１】
本発明は、以上のような構成であるから、次のような効果を生じる。
（１）軟弱地盤、不整地、植生地等であっても、測定機器や測量機器を載置する台を安定に設置でき、安定したした重力測定や水準測量等の実施できる。
（２）台と脚を着脱自在として持ち運びしやすい構造とし、さらに脚の取付長さを使用環境に適した状態に調整できる。
【発明を実施するための最良の形態】
【００１２】
本発明に係る軟弱地盤及び不整地用簡易安定台（以下、「簡易安定台」と言う。）の実施の形態を実施例に基づいて図面を参照して、以下に説明する。
【実施例】
【００１３】
図１は、本発明に係る簡易安定台を、部品に分解した状態を示す図であり、図２は、簡易安定台を組み立てた状態を示す図である。図３は簡易安定台の一部を説明する図であり、図３（ａ）は斜視図であり、そのＡ−Ａ断面を図３（ｂ）に示す。図１及び図２に示すように、簡易安定台１は、台２と、複数本の杭３（本実施例では３本の杭３）とから構成される。
【００１４】
台２は、アルミや鋼等の金属で形成されており、本体である直径２５ｃｍ程度の円盤４と、添え筒５を有する。この円盤４の外周縁の等間隔の位置に、複数の略円形の耳部６が、図３（ａ）に示すように、円盤４と一体で径方向外側（放射方向外側）に突出するように形成されている。耳部６には、図３（ｂ）に示すように、杭挿通孔７が上下方向に貫通して形成されている。
【００１５】
さらに、耳部６の側面から杭挿通孔７に直交し貫通するように、杭留め用ネジ孔８が形成されている。耳部６には、杭挿通孔７の位置から脇にはずれた位置に、上下方向に貫通するネジ孔９が形成されている。
【００１６】
添え筒５は、アルミニウムや鋼等の金属で形成され、耳部６の外形と同じように略円形の外形をしている。そして、添え筒５は、耳部６の下面に当接した場合に耳部６の杭挿通孔７及びネジ孔９に一致するような、杭挿通孔１０及びネジ孔１１が、上下方向に形成されている。この添え筒５は、耳部６の下面に当接して、耳部６のネジ孔９及び添え筒５のネジ孔１１を通してねじを螺入し、耳部６の下面にねじ留めして固定される。
【００１７】
添え筒５には、その側面から杭挿通孔１０に向けて貫通する杭留め用ネジ孔８が形成されている。この杭留め用ネジ孔８に側方から杭留めネジ１３を螺着する構成となっている。この杭留めネジ１３を杭留め用ネジ孔８に螺入し、その先端で、杭留め用ネジ孔８に挿入した杭３を押圧してねじ留めして固定することができる。
【００１８】
図４は、上記実施例の変形例を示す図である。上記実施例では、添え筒５を設けた構成を説明したが、この変形例では、特に添え筒５を設けず、図４に示すように、杭留め用ネジ孔８を耳部６に直接形成し、これに杭留め用ネジ孔８を螺着する構成とした。
【００１９】
台２の中央には、簡易水準計１２が嵌め込まれて付設されている。この簡易水準計１２は、あくまでも台２の設置状態を大まかに知るためのものである。
【００２０】
複数本の杭３は、それぞれ台２を支持する脚として機能するものである。杭３の長さは、円盤４の直径、使用対象の環境条件や使用目的に応じて、適宜長さとすればよいが、地盤に差し込んで安定して台２を固定するために、少なくとも４０ｃｍ以上の長さを有することが好ましい。
【００２１】
本実施例では、複数本の杭３として３本の杭３を設け、１本の主杭３と、主杭３に較べて若干短い２本の副杭３との組み合わせから構成している。主杭３は約５０ｃｍ程度の長さであり、副杭３は約４０ｃｍ程度の長さとする。なお、杭３の長さは、３本同じ長さとしてもよい。
【００２２】
（作用）
上記部品から成る本発明に係る簡易安定台１の組立及び使用について、図１〜３及び図４を参照して説明する。簡易安定台１を組み立てる場合は、耳部６の下面に添え筒５を当接して耳部のネジ孔９及び添え筒のネジ孔１１にねじを螺入して固定する。
【００２３】
そして、図３（ｂ）に示すように、主杭３及び副杭３を、それぞれ耳部６及び添え筒５の杭挿通孔７、１０内に挿入し、適宜長さまで下方に伸ばした状態で、添え筒５の杭留めネジ１３を杭留め用ネジ孔８に螺入し、その先端で、杭留め用ネジ孔８に挿入した杭３を押圧してねじ留めして固定することができる。
【００２４】
なお、図４に示す変形例の構成の場合は、耳部６の挿通孔７に挿入した杭３を、杭留めネジ１３を杭留め用ネジ孔８に螺入して、図４（ｂ）に示すように、その先端で杭３を押圧してねじ留めして固定する。
【００２５】
このようにして組み立てた簡易安定台１を使用する際には、地盤中に３本の杭３を、台２が安定となる状態まで挿入する。この際、台２の大まかな水平状態は、台２の中央に付設された簡易水準計１２により知ることができる。
【００２６】
ただ、この簡易安定台１は、きちんと水平状態に設置することを目的とするものではなく、地盤にぐらつかず、安定して設置することが目的であるから、簡易水準計１２は単なる水準状態の目安を知る程度として機能すればよい。
【００２７】
本発明に係る簡易安定台１は、３本の杭３を長さを、それぞれ調整可能に台２に着脱自在に装着できるので、軟弱な地盤、凹凸や石ころのある不整地、雑草が盛り上がった土地等の使用環境に応じて、十分に地盤に挿入してぐらつかないようにでき、凹凸、石ころ、雑草等により邪魔されず、安定な状態で設置できる。
【００２８】
さらに、杭３を地盤に挿入して設置してから、杭留めネジ１３をゆるめて台２を上下させて、台２の高さを、その使用目的、使用態様、使用機器等に対応して調整することができる。また、組立、分解が自在であるから、持ち運びが簡単で、山間僻地での測定や測量においてもきわめて便利である。
【００２９】
簡易安定台１の杭３は耳部６に挿入され、しかも、耳部６の下面に固定された添え筒５により補強して杭留めネジ１３で固定支持されるので、固定された部分におけるぐらつきや破損等が防止できる。  
【００３０】
以上、本発明に係る簡易安定台１の最良の形態を実施例に基づいて説明したが、本発明ははこのような実施例に限定されることなく、特許請求の範囲記載の技術的事項の範囲内で、いろいろな実施例があることは言うまでもない。
【産業上の利用可能性】
【００３１】
本発明は、以上のような構成であるから、軟弱地盤、不整地、植生地等で重力測定や水準測量を実施する際の測定機器、測量機器等を載置する台として有用であり、特に、分解してコンパクトにできるから、山間部等の搬送しにくい環境下に持ち運びして使用する場合にも最適である。
【図面の簡単な説明】
【００３２】
【図１】本発明に係る簡易安定台の実施例を説明する図であり、簡易安定台を分解した状態を示す図である。
【図２】本発明に係る簡易安定台の実施例を説明する図であり、簡易安定台を組み立てた状態を示す図である。
【図３】本発明に係る簡易安定台実施例の一部の構成を説明する図である。
【図４】本発明に係る簡易安定台実施例の変形例の一部の構成を説明する図である。
【図５】従来の三脚台を示す図である。
【符号の説明】
【００３３】
１  簡易安定台
２  台                  
３  杭                  
４  円盤                
５  添え筒              
６  耳部                
７  耳部の杭挿通孔      
８  杭留め用ネジ孔      
９  耳部のネジ孔        
１０  添え筒の杭挿通孔  
１１  添え筒のネジ孔    
１２  簡易水準計        
１３  杭留めネジ
１４  従来の三脚台 
１５  台
１６  脚 
【図１】
2006170820.tif 000003
【図２】
2006170820.tif 000004
【図３】
2006170820.tif 000005
【図４】
2006170820.tif 000006
【図５】
2006170820.tif 000007